(57)【要約】      （修正有）【課題】放射線状往復移動による巧みなマッサージと刺激効果を与えるマッサージ装置の構造を提供する。【解決手段】主に中空の棒体、可動部品及び駆動器を含み、挿入部に放射線状往復移動のマッサージを行うマッサージ装置である。棒体１の周囲壁に複数の放射線方向に貫通する穴１１を設置し、各穴に可動的に弾性的に伸縮する一つの可動部品３を通す。駆動器２は棒体と接続し、駆動器が棒体にある可動部品を断続的に棒体の放射線方向に相対して往復移動を行うことで、可動部品が挿入部をマッサージする。【選択図】図１
0003189677.tif 000002
【実用新案登録請求の範囲】
【請求項１】
棒体、可動部品及び駆動器を含み、
該棒体は一端から軸方向に内部に延伸する内スペースを具有し、該棒体の周囲壁に複数の放射線方向に貫通する穴を設置し、
各複数の可動部品の両端にそれぞれ外径が穴の内径より大きい一つの頭部とマッサージ部を設置し、該頭部とマッサージ部の間には、外径が穴の内径よりも小さい頚部を形成し、可動部品の外部は弾性部品で覆い、且つ該頚部を前記穴に通すことで、該頭部は該内スペースに位置し、該マッサージ部は該棒体の外に位置し、
該駆動器に一つのモーターを具有し、及び該モーターと接続して駆動して回転できる回転軸と接続し、該回転軸の表面に複数の突起部と複数の凹部を具有し、且つ該回転軸を該棒体の内スペースに入れることができ、それによって少なくとも該突起部が該可動部品と接触できることを特徴とする放射線状往復移動によるマッサージ装置。
【請求項２】
前記回転軸の断面から分かるように、複数の放射状に分布する突起部を形成し、且つ二つの突起部の間に一つの凹部があり、該凹部と相隣する一つの突起部の間はカーブ面で接続し、別の相隣する一つの突起部とは平面で接続することを特徴とする請求項１記載の放射線状往復移動によるマッサージ装置。
【請求項３】
当該回転軸は複数の棒状部品を螺旋状に成型したものであるため、相隣する二本の棒状部品の間に凹部を構成し、各棒状部品の最も大きい外径は突出部であることを特徴とする請求項１記載の放射線状往復移動によるマッサージ装置。
【請求項４】
前記駆動器に一つの外ケースを具有し、該外ケースに雄螺子を設け、該棒体の内スペースに雄螺子と螺合する雌螺子を設けることを特徴とする請求項１記載の放射線状往復移動によるマッサージ装置。
【考案の詳細な説明】
【技術分野】
【０００１】
本考案は女性が使用するアダルトグッズである放射線状往復移動によるマッサージ装置に関する。
【背景技術】
【０００２】
性的ニーズは男女問わず正常な生理現象と反応である。配偶者がいない人にとって、如何にして自分の性的ニーズを満たすのか、往々にして口に出しにくく且つ気まずい話題である。しかし、それに目を背けることはできず、正確な方法で不満を解消しなければ、性犯罪などの社会問題へと発展する可能性がある。セックスワーカーの手を借りるのは、配偶者がいない者が性的ニーズを満たす一つの方法であるが、それにかかる費用は大変高く、淋病や梅毒などの性病、或いはエイズの病気に罹る可能性が高いほか、道徳的にも疑問が残る。「自慰」も一つの選択であり、かつて自慰は不正常行為と見なされていたが、セックスに関する知識の普及と提唱に従い、医療ワーカーと性病防止団体によると、自慰は比較的健康且つ衛生的な選択肢であり、お勧めの方法であると。よって、現在では考え方がオープンになるのに連れ、アダルトグッズが次から次へと発売されてきた。配偶者がいる人にとっても、アダルトグッズの使用によって、夫婦生活の雰囲気を高めることができる。
【０００３】
アダルトグッズは大まか男性用と女性用の二種類があり、中でも女性用のグッズは主にマッサージ棒である。目下比較的新しい女性用マッサージ棒はシリコンの材料を使い、男性性器を模倣した造形で感触が皮膚に近いものである。また、マッサージ棒にパワー装置と連動装置を設置し、ユーザーはコントローラーでパワーのオンオフを行い、連動装置の作動により弾力性のある陰茎に似た動きをする。ユーザーはそれを陰部に接触或いは膣に挿入すれば、快感を得られる。マッサージ棒は更に振動器が付いているものもあり、陰茎を模倣したマッサージ棒をユーザーの膣に挿入し、振動器の電源を入れると振動器は同時に膣に振動を加えたマッサージ効果を与えるため、更に使用時の快感と気分を高めることができる。
【０００４】
従来技術の女性用陰茎型のマッサージ棒は、外形が色々と異なるほか、いずれも棒体の作動形態に変化をもたらしている。例えば棒体に一段階或いは数段階の回転、或いはひねる動きをする。棒体の表面に複数の突起ツブを設置することで、膣に挿入した棒体が膣壁に刺激を与えて快感を得る。しかし、このような固定した複数の突起ツブを有する棒体は膣に対して刺激的な効果はあるとしても、更に巧みなマッサージ効果を得ることができず、更なる改善が必要であった。
【先行技術文献】
【特許文献】
【０００５】
【特許文献１】登録実用新案第３１４４４７０号公報
【考案の概要】
【考案が解決しようとする課題】
【０００６】
本考案の目的は、女性の膣に巧みなマッサージと刺激効果を与えるマッサージ装置を提供することを主な課題とする。
【課題を解決するための手段】
【０００７】
上述の目的を解決するために、本考案は放射線状往復移動によるマッサージ装置の構造を提供するものである。中空の棒体及び駆動器を含み、該棒体の周囲壁に複数の放射線方向に貫通する穴を設置し、各穴に可動的に弾性的に伸縮する一つの可動部品を通す。該駆動器は該棒体と接続し、駆動器が棒体にある可動部品を断続的に棒体の放射線方向に相対して往復移動を行うことで、可動部品が膣内壁をマッサージする。
【０００８】
本考案の棒体についての技術手段は一体成型であり、棒体は一端から軸方向に内部に延伸する内スペースを具有し、該棒体の周囲壁に複数の放射線方向に貫通する穴を設置する。
【０００９】
本考案の可動部品についての技術手段は、該可動部品の両端にそれぞれ外径が棒体の穴の内径より大きい一つの頭部とマッサージ部を設置し、該頭部とマッサージ部の間には、外径が穴の内径よりも小さい頚部を形成する。可動部品の外部は弾性部品で覆い、且つ該頚部を前記穴に通すことで、該頭部は該内スペースに位置し、穴から抜けず、該マッサージ部は該棒体の外に位置し、穴から抜けない。頚部が穴の中で往復移動することにより、マッサージ部が棒体から出た時に弾性部品を引っ張って弾性力を働かせ、弾性部品によってマッサージ部を元の位置に戻す。
【００１０】
本考案の駆動器についての技術手段は、該外ケースの内部に一つのモーターを設置し、外ケースの外部に一つの回転軸を設置し、且つ該回転軸はモーターより外ケースに伸びる駆動軸と接続する。該回転軸の表面に複数の突起部と複数の凹部を具有し、且つ回転軸は該棒体の内スペースに入れることができ、少なくとも該突起部が該可動部品の頭部と接触できるようにする。
【００１１】
本考案の棒体と可動部品を覆う弾性部品は、シリコンの材料で作ることができる。それにより棒体を膣内に挿入すると、柔らかいシリコン材料により快適感を感じ、膣内壁にダメージを与えるのを避ける。
【００１２】
本考案の駆動器の回転軸は、断面から分かるように、複数の放射状に分布する突起部を形成し、且つ二つの突起部の間に一つの凹部があり、該凹部と相隣する一つの突起部の間はカーブ面で接続し、別の相隣する一つの突起部とは平面で接続する。
【００１３】
本考案の駆動器の回転軸は、複数の棒状部品を螺旋状に成型することができる。それにより相隣する二本の棒状部品の間に凹部を構成し、各棒状部品の最も大きい外径は突出部である。
【００１４】
本考案のマッサージ装置の駆動器に一つの外ケースを具有し、該外ケースに雄螺子を設置することができる。該マッサージ装置の棒体の内スペースには、該雄螺子と螺合する雌螺子を設置し、それにより雄螺子と雌螺子が相互に螺合することで、棒体と駆動器が組み合わせて固定し、操作しやすい。
【考案の効果】
【００１５】
本考案の棒体の周囲壁に複数の放射線方向に貫通する穴を設置し、各穴に可動的に弾性的に伸縮する一つの可動部品を通し、該駆動器は該棒体と接続し、駆動器が棒体にある各可動部品を棒体の放射線方向に往復移動を行うことで、可動部品が膣内壁をマッサージする。
【図面の簡単な説明】
【００１６】
【図１】本考案の第一実施例の主な部品構造及び組合せ関係の立体分解図である。
【図２】本考案の第一実施例の主な部品構造及び組合せ関係の平面断面分解図である。
【図３】本考案の第一実施例の駆動器を棒体に組み合わせた後の平面断面図である。
【図４】図３のＡ−Ａ方向の断面略図である。
【図５】本考案の第二実施例の主な部品構造及び組合せ関係の立体分解図である。
【図６】本考案の第二実施例の構造の端部分の平面断面図である。
【考案を実施するための形態】
【００１７】
以下、本考案の構造と特徴および効果を、最良実施例と図面を参照しながら詳細に説明する。
【実施例１】
【００１８】
図１及び図２に示すのは、本考案の放射線状往復移動によるマッサージ装置である。第一最良実施例に含まれるのは一つの棒体１、一つの駆動器２及び複数の可動部品３である。棒体１はシリコン材料で製造するのがベストであり、棒体１は一端から軸方向に内部に延伸する内スペース１０を具有し、該棒体１の周囲壁に複数の放射線方向に貫通する穴１１を設置する。棒体１の一端は内スペース１０に連通する開口であり、開口から内スペース１０にまで延伸する適切な長さの内スペースの内径は雌螺子１２を形成する。相対的に棒体１の開口の別端は丸い頭の造形、弾の造形、または男性性器の亀頭に似た造形などとし、膣に挿入した後にダメージを与えてしまう尖がった状態を避けることが必要である。
【００１９】
更に図１及び図２に示すように、本考案の可動部品３は、最良実施例では両端にそれぞれ外径が棒体１の穴１１の内径より大きい一つの頭部３３とマッサージ部３１を設置する。該頭部３３とマッサージ部３１の間には、外径が穴１１の内径よりも小さい頚部３２を形成し、可動部品３の外部は弾性部品３４で覆う。本考案の最良実施例として、該弾性部品３４は伸縮性のあるシリコン材料を採用する。マッサージ部３１は設計者の理念に基づき、例えばハート型やミニチュアの陰茎の形など適切な造形にデザインする。マッサージ部３１と頭部３３は頚部３２とそれぞれ製造した後に棒体１の各穴１１に設置する。また、マッサージ部３１或いは頭部３３を頚部３２と一体成型したあと、更にマッサージ部３１或いは頭部３３を頚部３２と一体に連結し、独立している部品の頭部３３或いはマッサージ部３１を棒体１に設置する。設置方法として：マッサージ部３１、頭部３３と頚部３２をそれぞれ製造する時、各頚部３２を各穴１１に挿入した後、更にマッサージ部３１と頭部３３をそれぞれリベット打ちで頚部３２の両端に固定することで、マッサージ部３１と頭部３３がそれぞれ棒体１の外部と内スペースに位置する。マッサージ部３１或いは頭部３３のうち一つが一体成型によって頚部３２に結合し、マッサージ部３１或いは頭部３３を別々に製造する際、頚部３２を穴１１に挿入したあと、更に独立しているマッサージ部３１或いは頭部３３をそれぞれ頚部３２の別端にリベット打ちで固定することで、マッサージ部３１と頭部３３がそれぞれ棒体１の外部と内スペースに位置する。
【００２０】
本考案の駆動器２の最良実施例として、外ケース２１を設置し、外ケース２１の内部に一つのモーター２２と電力ユニット(図に未掲載)を設置する。モーター２２に外ケース２１の外にまで延伸する一つの駆動軸２２１を設け、駆動軸２２１に一つの回転軸２３を接続する。本考案の第一実施例の回転軸２３の断面から分かるように、複数の放射状に分布する突起部２３１を形成し、且つ二つの突起部２３１の間に一つの凹部２３２があり、該凹部２３２と相隣する一つの突起部２３１の間はカーブ面２３３で接続し、別の相隣する一つの突起部２３１とは平面２３４で接続する。回転軸２３全体の外径は棒体１の内スペース１０の内径より小さいため、回転軸２３を棒体１の内スペース１０内に入れることができる。外ケース２１の外径は更に棒体１の雌螺子１２と螺合する雄螺子２４を設置する。このような構造により、回転軸２３を棒体１の内スペース１０に挿入した後、更に雄螺子２４を雌螺子１２に螺合することで、駆動器２の外ケース２１と棒体１を固定することができる。内スペース１０に挿入した後の回転軸２３により、少なくとも突起部２３１を可動部品３の頭部３３と接触できるようにする。前記棒体１、駆動器２と可動部品３を組み合わせた構造は図３の通りである。
【００２１】
図３及び図４に示すように、本考案のマッサージ装置を介し、ユーザーは棒体１を膣内に挿入してからモーター２２を起動して作動する。駆動軸２２１によって回転軸２３が回転し、回転中の回転軸２３は当該突起部２３１によって可動部品３の頭部３３を押すことで、頚部３２が穴１１の中で移動し、マッサージ部３１が棒体１の放射線方向に押し出されるために、膣内壁を押してマッサージと刺激を与える。頚部３２が移動するのと同時に、可動部品３の外部を覆う弾性部品３４は引っ張られて弾性力が働く。よって、回転中の回転軸２３の凹部２３２が頭部３３と対応する際に、該弾性部品３４の弾力によってマッサージ部３１と頚部３２を一緒に元の位置に戻す。つまり、持続して回転する回転軸２３によって、断続的に各可動部品３を棒体１の放射線方向に相対して往復移動を行うことで、ユーザーの膣内壁に対してマッサージと刺激を与える。  
【実施例２】
【００２２】
図５及び図６に示すのは第二実施例である。第二実施例は第一実施例の棒体１及び可動部品３の構造は同じであるが、駆動器２は第一実施例と異なる。本考案の第二実施例の駆動器２に外ケース２１を設置し、外ケース２１の内部に一つのモーター２２と電力ユニット(図に未掲載)を設置する。モーター２２に外ケース２１の外にまで延伸する一つの駆動軸２２１を設け、駆動軸２２１に一つの回転軸２３Ａを接続する。当該回転軸２３Ａは複数の棒状部品２３Ａ１を螺旋状に成型したものであるため、相隣する二本の棒状部品２３Ａ１の間に凹部２を構成する。各棒状部品２３Ａ１の最も大きい外径は突出部である。回転軸２３Ａ全体の外径は棒体１の内スペース１０の内径より小さいため、回転軸２３Ａを棒体１の内スペース１０内に入れることができる。外ケース２１の外径は更に棒体１の雌螺子１２と螺合する雄螺子２４を設置する。このような構造により、回転軸２３Ａを棒体１の内スペース１０に挿入した後、更に雄螺子２４を雌螺子１２に螺合することで、駆動器２の外ケース２１と棒体１を固定することができる。内スペース１０に挿入した後の回転軸２３Ａにより、少なくとも棒状部品２３Ａ１の外表面を可動部品３の頭部３３と接触できるようにする。
【００２３】
ユーザーは棒体１を膣内に挿入してからモーター２２を起動して作動する。駆動軸２２１によって回転軸２３Ａが回転し、回転中の回転軸２３Ａは当該棒状部品２３Ａ１によって可動部品３の頭部３３を押すことで、頚部３２が穴１１の中で移動し、マッサージ部３１が棒体１の放射線方向に押し出されるために、膣内壁を押してマッサージと刺激を与える。頚部３２が移動するのと同時に、可動部品３の外部を覆う弾性部品３４は引っ張られて弾性力が働く。よって、回転中の回転軸２３Ａの凹部が頭部３３と対応する際に、該弾性部品３４の弾力によってマッサージ部３１と頚部３２を一緒に元の位置に戻す。つまり、持続して回転する回転軸２３によって、断続的に各可動部品３を棒体１の放射線方向に相対して往復移動を行うことで、ユーザーの膣内壁に対してマッサージと刺激を与える。
【００２４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２５】
１  棒体
１０  内スペース
１１  穴
１２  雌螺子
２?２Ａ  駆動部品
２１  外ケース
２２  モーター
２２１  駆動軸
２３?２３Ａ  回転軸
２３Ａ１  棒状部品
２３１  突起部
２３２  凹部
２３３  アーチ面
２３４  平面
３  可動部品
３１  マッサージ部
３２  頚部
３３  頭部
３４  弾性部品
【図１】
0003189677.tif 000003
【図２】
0003189677.tif 000004
【図３】
0003189677.tif 000005
【図４】
0003189677.tif 000006
【図５】
0003189677.tif 000007
【図６】
0003189677.tif 000008